(57)【要約】【課題】  より容易に且つ確実に計量できるとともに、計量時に特に置き場所等を必要とせず、コンパクト且つ携帯に便利な乾麺用計量器を提供する。【解決手段】  乾麺用計量器１を、包囲部２、縮小部３及び支持部４から構成し、乾麺用計量器１（支持部４等）を把持した状態で、包囲部２を所定数の乾麺からなる乾麺束に挿し込み、所定の回転中心軸周りに所定角度回転することにより、所定分量の乾麺を当該乾麺の長手方向と垂直な仮想的な平面内において包囲する。そして、この包囲部２によって包囲された面積（包囲面積）を縮小させることにより、当該包囲部２によって上記所定分量の乾麺を挟持する。【選択図】    図１
2005283555.tif 000002
【特許請求の範囲】
【請求項１】
所定数の乾麺からなる乾麺束に挿し込まれ、所定の回転中心軸周りに所定角度回転されることにより所定分量の乾麺を該乾麺の長手方向と垂直な仮想的な平面内において包囲する包囲手段と、
前記包囲手段によって包囲される包囲面積を縮小させる縮小手段と、
把持可能に構成されるとともに、前記包囲手段及び縮小手段を支持する支持手段とを備えることを特徴とする乾麺用計量器。
【請求項２】
前記包囲手段は、所定距離離間して平行に配置された直線状の一対の第１部材と、一方の第１部材の一端、及び他方の第１部材の前記一端と反対側の他端から、それぞれ前記支持手段側に向けて延設された一対の第２部材とを有する腕部からなることを特徴とする請求項１記載の乾麺用計量器。
【請求項３】
前記縮小手段は、前記一対の第２部材の相互間隔を狭めることが可能に構成された弾性部材であることを特徴とする請求項２記載の乾麺用計量器。
【請求項４】
前記一対の第１部材それぞれの先端に該一対の第１部材を含む仮想的な平面と垂直な方向に突出した突起体が設けられていることを特徴とする請求項２又は３記載の乾麺用計量器。
【請求項５】
前記包囲手段によって包囲される包囲面積を区分する区分手段をさらに備えることを特徴とする請求項１〜４のいずれかに記載の乾麺用計量器。
【発明の詳細な説明】
【技術分野】  本発明は、スパゲッティ等の乾麺を計量する乾麺用計量器に関する。
【背景技術】  従来、スパゲッティ等の乾麺を計量する乾麺用計量器において、例えば、特許文献１には、各スケール片に貫通穴を設け、この貫通穴に乾麺を貫挿することにより所定分量の乾麺を計量するものが開示されている。また、特許文献２には、パスタストッカー上部の中蓋や回動蓋に取出し孔を設け、パスタストッカーを傾けて当該取出し孔から所定分量のパスタを外部に突出させて手等で受け止めることにより、所定分量の乾麺を計量するものが開示されている。また、特許文献３には、板紙に断面凹形受け部としての計量溝を設け、この計量溝内に乾麺を揃えて挿入配置することにより所定分量の乾麺を計量するものが開示されている。
【特許文献１】          特開２００３−３３９５５７号公報
【特許文献２】          特開２００１−４８２６１号公報
【特許文献３】          特開２００２−８４９９８号公報
【発明の開示】
【発明が解決しようとする課題】  しかしながら、特許文献１に開示される技術では、スケール片に対して、貫通穴の分量を予測してこれより少し多目の量の乾麺を押し当てるなどして貫通穴分の乾麺を貫挿させて計量し、その後、残りの乾麺（貫通穴を貫挿しなかった乾麺）を、乾麺が収納されていた元の場所（例えば収納袋や収納ケース）に戻すといった動作が必要であり、手間がかかるものであった。また、乾麺をスケールに押し当てて貫通穴を貫挿させつつ当該貫挿された乾麺を手等で上手く受け止めるといった動作が必要であり、決して容易に計量できると言えるものではなかった。
また、特許文献２に開示される技術では、上述のように計量後に残りの乾麺を元の場所に戻すといった動作は不要であるものの、パスタを取出し孔から取り出す際、パスタストッカー全体を持って取出し孔を下に向けて傾ける必要があり、パスタを手等で上手く受け止めることができなければ、取出し孔からパスタが勢い良く（一気に）飛び出してしまい、床などに落下させてしまうといったことがあり、計量時にパスタを飛散させ易いという問題があった。また、パスタストッカーを利用しての計量であり、コンパクトな計量器ではなく、携帯するのにも不便であった。
また、特許文献３に開示される技術では、計量溝内に乾麺を挿入配置して計量した後、計量溝内に挿入しきれなかった残りの乾麺を元の場所に戻す動作が必要となり、また、計量時に板紙（計量器）を置く場所（例えば台や机の上に載置する）が必要となり、狭い調理場（台所）等ではスペース確保の観点からも不便であった。また、上記パスタストッカーと同様、コンパクトな計量器とは言えず、携帯にも不便であった。
本発明は、上記事情に鑑みてなされたもので、乾麺束を計量器に対して押し当てて所定分量の乾麺を穴部を貫挿させつつ手等で上手く受け止めるといった動作や、計量後、残りの乾麺を元の場所に戻すといった手間のかかる動作を必要とせず、より容易に且つ確実に計量できるとともに、計量時に特に置き場所等を必要とせず、コンパクト且つ携帯に便利な乾麺用計量器を提供することを目的とする。
【課題を解決するための手段】  本発明に係る乾麺用計量器は、所定数の乾麺からなる乾麺束に挿し込まれ、所定の回転中心軸周りに所定角度回転されることにより所定分量の乾麺を該乾麺の長手方向と垂直な仮想的な平面内において包囲する包囲手段と、前記包囲手段によって包囲される包囲面積を縮小させる縮小手段と、把持可能に構成されるとともに、前記包囲手段及び縮小手段を支持する支持手段とを備えることを特徴とする。
上記構成によれば、包囲手段は、例えば支持手段が把持された状態で乾麺束に挿し込まれ、所定の回転中心軸回りの所定角度の回転により、所定分量の乾麺を当該乾麺の長手方向と垂直な仮想的な平面内で包囲する。縮小手段は、包囲手段によって包囲される面積（包囲面積）を縮小させる。
また、前記包囲手段は、所定距離離間して平行に配置された直線状の一対の第１部材と、一方の第１部材の一端、及び他方の第１部材の前記一端と反対側の他端から、それぞれ前記支持手段側に向けて延設された一対の第２部材とを有する腕部からなることが好ましい。
この場合、包囲手段が乾麺束に挿し込まれるとき、平行に配置された直線状の一対の第１部材が乾麺束の長手方向に平行となる状態で当該第１部材と共に第２部材が乾麺束の例えば側面側から挿し込まれる。そして、包囲手段が、例えば乾麺束への挿し込み方向を回転中心軸とした場合の当該軸周りに所定角度回転されると、各第１部材は、乾麺束を押し分けるように、それぞれ第２部材を回転支点として回転する（互いに内側に向けて傾倒するように回転する）。これにより、包囲手段の挿し込み方向の前方側が当該第１部材によって閉じられた（塞がれた）状態となり（左右側は第２部材によって閉じられた状態となっている）、所定分量の乾麺が包囲される。
また、前記縮小手段は、前記一対の第２部材の相互間隔を狭めることが可能に構成された弾性部材であることが好ましい。この場合、弾性部材が撓むことにより第２部材の相互間隔が狭められる。
また、前記一対の第１部材それぞれの先端に該一対の第１部材を含む仮想的な平面と垂直な方向に突出した突起体が設けられていることが好ましい。この場合、各第１部材の先端における当該仮想的な平面と垂直な方向の幅が、突起体の幅分だけ広くなる。
また、前記包囲手段によって包囲される包囲面積を区分する区分手段をさらに備えることが好ましい。この場合、区分手段によって、包囲面積、すなわち包囲手段によって包囲される領域（範囲）が区分けされる。
【発明の効果】  請求項１記載の発明によれば、乾麺束に包囲手段が挿し込まれて軸回転され、乾麺束における所定分量の乾麺が包囲されることにより乾麺の計量が行われるため、乾麺束を計量器に対して押し当てて所定分量の乾麺を穴部を貫挿させつつ手等で上手く受け止めるといった動作や、計量後、残りの乾麺を元の場所に戻すといった手間のかかる動作を必要とせず、容易に乾麺の計量を行うことができる。
また、包囲した状態でさらに包囲面積が縮小されることにより、例えば、包囲した乾麺に包囲手段を押し付ける（押し当てる）ようにして、包囲手段によって所定分量の乾麺を挟持することが可能となり、確実に乾麺の計量を行うことができる。また、例えば、ユーザの一方の手で計量器（支持手段等）を把持し、他方の手で乾麺束を持った状態で計量を行うことが可能となるため、計量時に特に計量器の置き場所がなくとも計量することができる。さらに、計量器を、包囲手段、縮小手段及び支持手段からなる、より簡易な構成とすることができ、ひいてはコンパクト且つ携帯に便利な乾麺用計量器を実現することができる。
請求項２記載の発明によれば、第１部材が乾麺束の長手方向に平行となる状態で第２部材と共に乾麺束の例えば側面側から挿し込まれ、第２部材を回転支点として回転されると、包囲手段の前方側が当該第１部材によって閉じられた状態になるため、包囲手段を乾麺束に挿し込んで所定角度回転させて所定分量の乾麺を包囲（計量）する構成が、第１部材及び第２部材からなる簡易な構成で実現することができる。
請求項３記載の発明によれば、弾性部材が撓むようにして第２部材の相互間隔が狭められるため、所定分量の乾麺を包囲した状態でさらに包囲面積を狭めて所定分量の乾麺を挟持することが可能な構成を、簡易な構成で実現することができる。
請求項４記載の発明によれば、各第１部材の先端における仮想的な平面と垂直な方向の幅が、突起体の幅分だけ広くなるため、第１部材による乾麺包囲時の、乾麺の長手方向と垂直な仮想的な平面内における第１部材の先端部同士の交差（重なり）に対する裕度（交差可能な範囲）が大きくなり、当該第１部材による乾麺包囲時に第１部材間に乾麺が挟まれてしまうことが防止され、当該乾麺が挟まれることにより第１部材の回転動作が妨げられることが防止されるのとともに、包囲される側の乾麺と包囲されない側の乾麺とを確実に分離（区分）でき、所定分量の乾麺の計量を確実に行うことができる。
請求項５記載の発明によれば、包囲手段により包囲される領域（範囲）が区分手段によって区分けされるため、包囲される乾麺の分量が調節可能となり、人数に応じた分量の乾麺の計量を容易に行うことができる。
【発明を実施するための最良の形態】  以下、本発明の実施形態に係る乾麺用計量器について図面を参照して説明する。図１は、本発明の実施形態に係る乾麺用計量器１の一例を示す斜視図である。図２は、図１に示す乾麺用計量器１の上面図である。図１、２に示すように、乾麺用計量器１は、包囲部２、縮小部３及び支持部４を備える。乾麺用計量器１は、例えばステンレス鋼の金属材質の線状体（針金）からなり、ここでは包囲部２、縮小部３及び支持部４が一体的に形成されている。ただし、金属材質は特にステンレス鋼に限定されず、例えば銀、銅、チタンや真鍮、あるいはピアノ線（ばね鋼）であってもよい。また、金属材質に限らず、所定の樹脂（例えばプラスチック材）や、木、竹などの材質等、種々の材質が採用可能である。
包囲部２は、所定本数の乾麺（スパゲッティやスパゲッティーニ、そば、うどん、そうめん等の種々の乾麺、あるいは当該乾麺の形状のような線状体；断面形状は丸型でも角型でもよい）からなる乾麺束に対し、当該乾麺の例えば側方から、すなわち乾麺の長手方向に沿った側面側から例えば符号Ａで示す矢印方向（矢印Ａ方向）に挿し込まれ（押し込まれ）、所定の回転中心軸周りに所定角度回転されることにより、所定分量の乾麺を、当該乾麺の長手方向と略垂直な仮想的な平面（図示せず）内において包囲するものである。この回転中心軸や回転角度等については後述する。
包囲部２は、所定距離離間して平行に配置された直線状の一対の第１部材２１、２２、及び、第１部材２１の一端（端部２１１）と当該第１部材２１の一端と反対側である第１部材２２の他端（端部２２１）とから、それぞれ支持部４側に向けて延設されてなる一対の第２部材２３、２４を有する腕部２０からなる。この腕部２０は、第１部材２１及び第２部材２３からなる一方の腕状体（アーム）と、第１部材２２及び第２部材２４からなる他方の腕状体とが、基端２５を分岐点（支点）として二股に分かれた状態で並設（配置）され、当該各腕状体の先端側（第１部材）が、所定距離離間して（鉛直方向に）平行となるように且つ鉛直方向において互いに対向するように上下方向へ折り曲げられ（屈曲され）てなるものであるとも言える。
第２部材２３、２４は、先端側に略直線状の直線部２３１、２４１が形成されていることが好ましく、この直線部２３１及び第１部材２１によって、また、直線部２４１及び第１部材２２によって、それぞれ側面視略Ｌ字状のものが形成されていてもよい。
第１部材２１、２２は、上述のように直線状で且つ互いに平行に設けられているため、第１部材２１、２２を、乾麺束（乾麺束は直線状の乾麺が互いに平行に束ねられてなる）に対して、当該乾麺束の長手方向に平行に挿し込ませることが可能となる。また、第２部材に直線部２３１、２４１が形成されているため、包囲部２の乾麺束への挿し込み方向を直線部２３１、２４１の直線方向（軸方向）に合わせるなどして当該包囲部２を乾麺束に挿し込み易くすることができる。また、第２部材２３、２４は、当該第２部材２３、２４の基端２５側の部分に、後述の図９において説明するように乾麺束から引き出し（分離させ）易くするために、直線部２３１、２４１の長手方向と垂直な方向の仮想的な平面に対して符号α（傾斜角度α）で示すように所定角度傾斜（０度＜α＜９０度）した状態で配置された基端部材２３２、２４２を有している（基端部材２３２、２４２自体は、略直線状に形成されている）ことが好ましい。この基端部材２３２、２４２は外側又は内側が「弦」となる円弧状に形成されていてもよいし、これ以外の屈曲した形状であってもよい。
第２部材２３、２４は、乾麺束に挿し込み可能であれば上記の形状に限定されずともよく、例えば（互いに平行な）直線部２３１、２４１を有さず、各第２部材の端部２１１又は端部２２１から基端２５にかけて直線状又は曲線状（例えば円弧状）に形成されてなるものであってもよいし、図１０に示すように、第２部材２３、２４の基端部材２３２、２４２（図１参照）の上記傾斜角度αがゼロ度になっている形状、すなわち、基端部材２３２１、２４２１がそれぞれ直線部２３１、２４１に対して略垂直（直角）に配置され、且つ互いに略垂直に配置された（基端部材２３２１は第１部材２１と平行、基端部材２４２１は第１部材２２と垂直に配置されている）形状となっていてもよい。基端部材２３２と基端部材２４２と（又は直線部２３１と直線部２４１と）は、それぞれ長さが異なっていてもよい。なお、包囲部２は、図１１に示すように、上記図１に示す乾麺用計量器１の（上下方向の）向きを上下反転させた向きにして乾麺束に対して矢印Ａ方向で挿し込まれる構成であってもよい（乾麺用計量器１を上下逆さにして使用してもよい；以下の乾麺用計量器に対しても同様である）。
ところで、図２に示すように、乾麺用計量器１は、包囲部２により同図中の斜線で示す領域２８が形成されているが（包囲部２の符号２９で示す前方側（前方側２９）は開口されている）、乾麺用計量器１（包囲部２）が乾麺束に対して矢印Ａ方向に挿し込まれると、相対的に領域２８内に乾麺が押し込まれて（入り込んで）くる。ただし、包囲部２を乾麺束に挿し込む場合、より正確な分量を計量するためには、包囲部２の奥の位置まで、すなわち基端２５の位置まで乾麺が押し込まれるように確実に挿し込むことが必要である。なお、この領域２８の面積の大きさに比例して、計量される乾麺の分量が決定される（以降、この面積を分量面積Ｓという。
分量面積Ｓは、所定の乾麺の分量が計量される大きさ（サイズ）となっており、例えば１人分の分量として約１００グラムが計量されるような分量面積Ｓとなっている。ただし、分量面積Ｓの大きさは、上記約１００グラムが計量される大きさでなくともよく、これ以外の任意な分量（グラム）が計量される大きさであってもよい。なお、領域２８（分量面積Ｓ）の形状は、図２に示すような形状（四角形；台形）でなくともよく、第２部材２３、２４等の形状（屈曲形状、長さ等）の違い等により、所要の形状とされていてもよい。また、上記約１００グラムを１人分の分量として設定せずともよい。また、分量の単位を上記「グラム」でなく、例えば乾麺の「本数」としてもよい。
図３は、乾麺用計量器１を乾麺束に挿し込んだ後、所定角度回転させた状態の一例を示す乾麺用計量器１を前方から見た斜視図である。ここでは、図１に示す乾麺用計量器１を、符号Ｂで示す回転中心軸（回転中心軸Ｂ）を回転中心として、符号Ｃで示す矢印方向（矢印Ｃ方向）に例えば約４５度回転させたときの状態を示している。また、図４は、図３に示す状態の乾麺用計量器１を符号Ｄで示す矢印方向（上方）から見た上面図である。
図３に示すように乾麺用計量器１（包囲部２）が回転されることにより、図４に示すように、上記分量面積Ｓに押し込まれた所定分量の乾麺Ｍが、第１部材２１、２２によって包囲部２の前方側２９（図２参照）が閉じられた（塞がれた）状態とされ、この結果、乾麺Ｍの長手方向と垂直な方向の仮想の平面内において当該乾麺Ｍが包囲されることになる。このように包囲部２による包囲によって得られた斜線で示す領域２００（図４参照）の面積のことを、以降、包囲面積Ｔという。ただし、包囲面積Ｔは、包囲部２の回転により上記分量面積Ｓよりも大きな面積となっている）。
ところで、第１部材２１、２２の長さは、所定角度回転したときに少なくとも上記前方側２９を閉じることが可能であり、また、所定角度回転させるときに第１部材２１（第１部材２２）の先端が第２部材２４（第２部材２３）よりも外側に突出しないような長さとされている（外側に突出していると、包囲部２で乾麺を包囲した状態で乾麺束から引き抜く際に包囲部２の外縁周辺の乾麺に第１部材２１、２２の先端が引っ掛かってしまうことになる）。また、回転中心軸Ｂの位置は、第１部材２１、２２を含む仮想的な平面と垂直な方向であって且つ包囲部２が縮小部３に支持（連結）されている箇所（支点）である基端２５を通る位置となっている。ここでは、縮小部３の長手方向が、回転中心軸Ｂの軸方向と同じ向きとなるように当該縮小部３が形成されているため、回転中心軸Ｂは、縮小部３を仮想的に延長した線（仮想線）として図３、４に示されている。要するに回転中心軸は、乾麺束に挿し込まれた第１部材２１、２２を、上述のように前方側２９を閉じるべく乾麺束の長手方向と平行に（乾麺束の隙間をぬうようにして）回転させることが可能であれば何れの位置に設定してもよい。また、回転中心軸Ｂ周りの回転角度は、約４５度でなくともよく、第１部材２１、２２の回転によって図４に示すように前方側２９が閉じられる、すなわち少なくとも第１部材２１、２２の先端（後述する突起体２６、２７）が上面視交差する（重なる）ような回転角度であればよい。したがって、回転角度は上記４５度より大きく（又は４５度より小さく）てもよく、例えば当該４５度より大きな場合には、第１部材２１、２２がそれぞれ乾麺の長手方向と垂直な方向に平行となる位まで回転されてもよい。
なお、当該所要の回転角度は、主に各第１部材２１、２２の長さに応じて決まる。すなわち、第１部材２１、２２の長さが短い場合には、上記第１部材の先端が交差するためのより大きな回転角度が必要となり、長い場合には回転角度が小さくて済む。ただし、各第１部材２１、２２の長さは異なっていてもよい。また、回転方向は、矢印Ｃ方向と反対方向であってもよい。この場合、乾麺を包囲したときに第１部材２２の上方に第１部材２１がくるように回転される。
第１部材２１、２２は、それぞれの先端に、当該一対の第１部材２１、２２を含む仮想の平面Ｅ（図４参照；平面Ｅは紙面に対して垂直な面となっている）と垂直な方向に突出してなる突起体２６、２７が設けられている。ここでは、突起体２６、２７は平面Ｅに対して矢印Ａ方向に突設されている。図４における符号２１０に示す図は、第１部材２１、２２の先端が上面視交差した状態となっている場合の突起体２６、２７の部分拡大図を示している。同図に示すように、第１部材２１、２２の先端に突起体２６、２７が設けられていることにより、第１部材２１、２２の先端の平面Ｅと垂な直方向における幅２０１（幅寸法）が、それぞれ突起体２６、２７の幅２０２分だけ広く（長く）なり、第１部材２１、２２によって乾麺Ｍを包囲した場合の、乾麺Ｍの長手方向と垂直な仮想的な平面内における第１部材２１、２２の先端部同士の交差（平面Ｅと垂直方向での交差）に対する裕度（余裕）が大きくなり、第１部材２１、２２による乾麺包囲時に、例えば図５に示すように第１部材２１、２２間に所定数の乾麺２０３が挟まれてしまうことが防止される。この結果、乾麺２０３が挟まれて第１部材２１、２２の回転動作が妨げられるといったことが防止されるとともに、包囲される側の乾麺と包囲されない側の乾麺とを確実に分離することができ、所定分量の乾麺の計量を確実に行えるようになる。
なお、突起体２６、２７は、図４に示すように同じサイズ（寸法）・形状としているが、互いに異なっていてもよい。また、突起体２６、２７は、図１２（ａ）に示すように、平面Ｅに対して両側に、すなわち矢印Ａ方向及びこの反対方向に（幅２０４、２０５だけ）突出されてなるものであってもよい。この場合の突起体の形状は、図１２（ａ）に示すものに限らず、例えば円（真円や楕円）形状、あるいは三角、四角等の多角形状、これらを組み合せた形状等、任意な形状が採用可能である。図４に示すような、片側のみ（例えば矢印Ａ方向）に突設されてなる突起体に対しても同様に任意の形状が採用可能である。また、当該突起体は、図１２（ｂ）に示すように第１部材２１、２２の先端部が（例えば矢印Ａ方向に）折り返されたように形成されてなるものでもよい。これにより、容易に且つ簡易な構成で突起体２６、２７を形成することができる。
図１に戻って、縮小部３は、包囲部２によって包囲される面積（包囲面積Ｔ）を縮小させるものである。縮小部３は、一対の第２部材２３、２４の相互間隔を狭めることが可能に構成された可撓性を有する弾性部材である。縮小部３は、第２部材２３、２４が、それぞれ基端２５の位置から１回捩れた状態で（捩れ方向は同図に示すものと逆でもよい）支持部４へ向けて延設された可動部材３１、３２を備える。ここで、図６に、図４に示す状態から第２部材２３、２４の相互間隔が狭められた状態を示す乾麺用計量器１の上面図を示す。同図に示すように、縮小部３は、例えばユーザの指等による第２部材２３、２４の押圧（挟持）に応じて、可動部材３１、３２が後述する付勢力に抗してそれぞれ符号Ｆ、Ｇで示す矢印方向（外側）に移動されるように撓むことによって、第２部材２３、２４をそれぞれ符号Ｈ、Ｉで示す矢印方向（内側）に移動させ、この結果、包囲部２による包囲面積Ｔを縮小させる（狭める）。なお、可動部材３１、３２は、第２部材２３、２４が上記矢印Ｈ、Ｉ方向に押圧されていないときには、可動部材３１、３２間が開かれて隙間部３３が形成されないように、すなわち包囲面積Ｔが縮小されないように、弾性部材の弾性力によって、可動部材３１、３２がそれぞれ矢印Ｇ方向、矢印Ｆ方向に付勢されている。
このように、包囲面積Ｔが縮小されることにより、例えば、包囲部２で包囲した所定分量の乾麺Ｍにさらに包囲部２（例えば第２部材２３、２４）を押し付ける（押し当てる）ようにして包囲部２によって乾麺Ｍを挟持することができ、例えば当該乾麺Ｍを挟持した状態で乾麺束から引き出す（取り出す）といったことが可能となり、ひいてはより確実に乾麺の計量を行うことができる。
支持部４は、例えばユーザの手等によって把持される（指等で掴持されてもよいし、後述する図８（ａ）に示すように手の平で把持してもよい）ことが可能に構成されるとともに、包囲部２及び縮小部３を支持するものである。ここでは、支持部４は、縮小部３を当該縮小部３の基端３４で支持するとともに、縮小部３を介して包囲部２を支持する構成となっている。ここでは、支持部４は外形視略長方形状（四角形状）の環状体（枠状体）からなる。支持部４は、把持された状態で乾麺用計量器１の回転を行わせ易くさせるべく、すなわちユーザの操作による回転力を乾麺用計量器１に付与し易くするべく、平面的に構成されていることが好ましい。また、支持部４は、縮小部３を図１に示すように支持部４の上下方向中央部で支持（連結）せずともよく、上下何れか側に偏った位置、支持部４の角部、あるいはこれ以外の位置で支持してもよい。また、縮小部３に対して傾斜（回転中心軸Ｂに対して傾斜）した状態で当該縮小部３を支持してもよい。
支持部４は、第１部材２１、２２に対して平行な向きに配置されている。これにより、乾麺用計量器１を乾麺束に挿し込む際には、支持部４が乾麺束の長手方向に対して平行な向きとなり、包囲部２を乾麺束に挿し込んだ後、当該支持部４を乾麺束の長手方向に対して例えば約４５度回転させ、この回転に伴って第１部材２１、２２も同じ約４５度回転させて乾麺Ｍを包囲することができる。換言すれば、支持部４を、第１部材２１、２２の向きを考慮して設ける（配置する）ことにより、包囲部２が乾麺束に挿し込まれて第１部材２１、２２の向きが外から見え難く又は見えなくなった場合でも、乾麺束（の長手方向）に対する支持部４の向きを注意しつつ当該支持部４を回転させることにより、第１部材２１、２２がどれ位の角度回転されたかが容易に判別できるようになり、確実に乾麺を包囲することができる。
なお、支持部４は、第１部材２１（２２）に対して平行となる向きで配置されなくともよく、例えば、包囲部２を乾麺束に挿し込んだ後、乾麺を包囲するべく所定角度回転し終えた時点で、この支持部４の向きが乾麺の長手方向と垂直な方向（水平方向）になるような角度、すなわち、支持部４が第１部材２１（２２）に対して例えば約４５度傾斜した状態に配置されていてもよい。また、これ以外の角度で傾斜した状態に配置されてもよい。
また、支持部４の形状は、上記長方形状に限らず、例えば図１３に示すように、その一部に開口部４１を有する環状体（形状は円形状に限らない）であってもよいし、これ以外の多角形や円（楕円）形、あるいはハート形や雲形、Ｕ字形やＳ字形、所定の動物や植物といった、幾何学的又は非幾何学的な種々の形状が採用可能である。また、支持部４は、上記環状体ではなく、板状体からなる（いずれも平面的に形成されている）ものや、立体的（３次元的）に形成されたものであってもよい。なお、この板状体（立体的なもの）に、所定形状及び所定数の孔部（開口部）が形成されていてもよい。
また、上記孔部、あるいは図１や図１３に示す環状体（支持部４）は、例えば壁等に取り付けられたフック部に掛止させるために使用したり、例えば紐等を通してユーザの首等に掛けたりするために使用してもよい（これにより、携帯性がより向上する）。また、支持部４（例えば板状体）に、所定の図柄（絵）や文字、例えば乾麺用計量器１の使用方法、計量される分量の情報（例えば「１００ｇ計量用」といった情報）を、印刷、刻印又はシール等によって記載（付加）してもよい。
ここで、図７〜９を用いて、乾麺束から所定分量の乾麺を計量する動作について説明する。図７は、乾麺用計量器１により所定分量の乾麺を計量するときの動作の一例を示す斜視図であり、（ａ）は、乾麺用計量器を乾麺束に挿し込むときの様子を示す図であり、（ｂ）は、乾麺用計量器を所定角度回転させて所定分量の乾麺を包囲するときの様子を示す図であり、（ｃ）は、所定分量の乾麺を包囲した状態で乾麺束から引き出すときの様子を示す図である。また、図８は、包囲部による包囲面積を縮小させて所定分量の乾麺を挟持する動作の一例を示す斜視図であり、（ａ）は、包囲部の各第２部材を内側に向けて移動させたときの様子を示す図であり、（ｂ）は、図８（ａ）に示す状態において乾麺用計量器を前方から見た図である。
まず、図７（ａ）において、乾麺束７１に対し、乾麺用計量器１を符号７２で示す矢印方向（矢印Ａ方向に相当）に挿し込む（符号７３で示す矢印方向（上方）から挿し込んでもよい。この場合、第１部材２１、２２が乾麺束７１の長手方向に対して平行となるように、また包囲部２の基端２５の位置まで乾麺が押し込まれるように確実に挿し込む。なお、乾麺用計量器１の乾麺束７１への挿し込みは、位置固定された乾麺束７１に対して乾麺用計量器１を近づけるように移動させて行ってもよいし、位置固定された乾麺用計量器１に対して乾麺束７１を近づけるように移動させて行ってもよい。この場合、乾麺束７１をユーザの一方の手（例えば左手）で掴み、乾麺用計量器１を他方の手（例えば右手）で掴んだ状態で当該挿し込み動作を行ってもよい。
次に、図７（ｂ）において、図７（ａ）のように乾麺束７１に包囲部２が挿し込まれた状態で、乾麺用計量器１を、例えば回転中心軸Ｂ（図３参照）を回転中心として矢印Ｃ方向に例えば約４５度回転させ、第１部材２１、２２により包囲部２の前方側２９を閉じ、乾麺束７１の長手方向と垂直な方向の仮想的な平面内において、所定分量の乾麺Ｍを包囲する。次に、図７（ｃ）において、図７（ｂ）のように所定分量の乾麺Ｍを包囲した状態で、乾麺用計量器１を、乾麺束７１から符号７４に示す矢印方向（第２部材２３、２４の直線部２３１、２４１に平行な方向が好ましい）に引き出す（乾麺用計量器１から乾麺束７１を引き離すようにしてもよい）。
そして、図８（ａ）において、図７（ｃ）に示すように乾麺束７１から所定分量の乾麺Ｍを引き出した状態で、例えば第２部材２３、２４を両側から指等で挟むようにして当該第２部材２３、２４に押圧を加え、縮小部３の可動部材３１、３２の付勢力（図６参照）に抗して、第２部材２３、２４をそれぞれ上記矢印Ｈ、Ｉ方向（内側）に移動させ、図７（ｃ）において包囲部２による包囲によって得られた包囲面積Ｔを縮小させる。このように包囲面積Ｔを縮小させ、所定分量の乾麺Ｍに第２部材２３、２４を押し付けるようにして当該乾麺Ｍを挟持する。乾麺Ｍに第２部材２３、２４を押し付けたとき、図８（ｂ）に示すように、第１部材２１、２２は、先端（突起体２６、２７）が、それぞれ端部２２１、２１１側に近づくように移動し、より深く（大きく）交差した状態となる。これによって、より確実に乾麺Ｍを包囲し且つ挟持することができる。ただし、第１部材２１、２２の長さは、上記深く交差したときに、第１部材２１（２２）の先端と第２部材２４（２３）との間に乾麺が挟まって折れてしまうことのない長さであることが好ましい。
なお、図９に示すように、図７（ｃ）において乾麺用計量器１により乾麺Ｍを包囲した状態で乾麺束７１から引き出す際、包囲部２の基端部材２３２、２４２の外縁周辺部に存在する乾麺７５、７６を、指（例えば親指及び人差し指）により基端部材２３２、２４２に沿って符号７７、７８で示す矢印方向へ向けて移動させるようにして、乾麺Ｍと当該乾麺Ｍ以外の残りの乾麺束７１との分離を行ってもよい。乾麺用計量器１は、図７〜９に示すように、ユーザの一方の手で乾麺用計量器１（支持部４など）を把持し、他方の手で乾麺束を持った状態で所定分量の乾麺の計量を行うことが可能であるため、計量時に特に乾麺用計量器１用の置き場所がなくとも計量を行うことが可能である。
以上のように、本発明の乾麺用計量器１によれば、乾麺束７１に包囲部２が挿し込まれて軸回転され、乾麺束７１のうちの所定分量の乾麺Ｍが包囲されることにより乾麺の計量が行われるため、乾麺束７１を乾麺用計量器１に対して押し当てて所定分量の乾麺を計量用の穴部を貫挿させつつ手等で上手く受け止めるといった動作や、計量後、残りの乾麺を元の場所に戻すといった手間のかかる動作を必要とせず、容易に乾麺の計量を行うことができる。また、包囲した状態でさらに包囲面積Ｔが縮小されることにより、例えば、包囲部２により包囲した乾麺Ｍに対してさらに包囲部２（例えば第２部材２３、２４）を押し付ける（当接させる）ようにして、包囲部２による所定分量の乾麺Ｍの挟持が可能となり、例えば乾麺束７１から乾麺Ｍを計量するときに乾麺Ｍが包囲部２から抜け落ちて床等に落下させてしまうようなことなく、より確実に乾麺の計量を行うことができる。また、例えば、ユーザの一方の手で乾麺用計量器１（支持部４等）を把持し、他方の手で乾麺束７１を持った状態で当該計量を行うことが可能であるため、計量時に乾麺用計量器１の置き場所がなくとも計量することができる。さらに、乾麺用計量器１が、包囲部２、縮小部３及び支持部４から構成されるため、したがって、乾麺用計量器１をより簡易な構成とすることができ、ひいてはコンパクト且つ携帯に便利な乾麺用計量器１を実現することができる。
また、第１部材２１、２２が乾麺束７１の長手方向に平行となる状態で第２部材２３、２４と共に乾麺束７１の例えば側面側から挿し込まれ、第２部材を回転支点として回転されると（互いに内側に向けて傾倒するように回転されると）、包囲部２の前方側２９が当該第１部材２１、２２によって閉じられた状態になるため、包囲部２を乾麺束７１に挿し込んで所定角度回転させて所定分量の乾麺Ｍを包囲（計量）する構成が、第１部材２１、２２及び第２部材２３、２４からなる簡易な構成で実現することができる。
また、縮小部３を構成する弾性部材が撓むようにして第２部材２３、２４の相互間隔が狭められるため、所定分量の乾麺Ｍを包囲した状態でさらに包囲面積Ｔを狭めて所定分量の乾麺Ｍを挟持することが可能な構成を、簡易な構成で実現することができる。
また、各第１部材２１、２２の先端の、仮想的な平面と垂直な方向の幅が、突起体２６、２７の幅分だけ広く（大きく）なるため、第１部材２１、２２による乾麺Ｍ包囲時の、乾麺Ｍの長手方向と垂直な方向の仮想的な平面内における第１部材２１、２２の先端部同士の交差（重なり）に対する裕度（交差可能な範囲）が大きくなり、当該第１部材２１、２２による乾麺Ｍ包囲時に、第１部材２１、２２間に乾麺（例えば図５に示す乾麺２０３）が挟まれてしまうことが防止され、当該乾麺が挟まれて第１部材２１、２２の回転動作が妨げられるといったことが防止されるのとともに、包囲される側の乾麺と包囲されない側の乾麺とを確実に分離（区分）することができ、所定分量の乾麺Ｍの計量を確実に行うことができる。なお、本発明は、以下（Ａ）〜（Ｍ）の態様をとることができる。
（Ａ）縮小部３及び支持部４は、それぞれ図１４（ａ）〜（ｃ）に示す縮小部３ａ、支持部４ａであってもよい。まず、図１４（ａ）における乾麺用計量器１ａは、例えば線状体が例えば上面視略Ｕ字状（Ｖ字状でもよい）のように一方側が開口されたように形成された、弾性体（弾性部材）からなる縮小部３ａと、この弾性体の両端部に略水平方向に所定間隔離間して並設されてなる一対の平板部４０１（環状部でもよい）と当該平板部４０１の先端から包囲部２の基端２５位置まで１回捩れた状態で延設されてなる捩れ部４０２（図１の縮小部３に相当）とからなる支持部４ａと、図１に示すものと同様の包囲部２とを備える。縮小部３ａは、符号３０１に示す矢印方向、すなわち上記Ｕ字状の弾性体の開口部が開こうとする方向に付勢されており、この付勢力によって、捩れ部４０２を構成する一対の部材がそれぞれ符号４０２１に示す矢印方向に移動しようとする力が作用し、当該捩れ部４０２の一対の部材間が閉じた状態とされている。乾麺用計量器１ａは、縮小部３ａの付勢力に抗して各平板部４０１に押圧を加えて（挟持して）内側に移動させるなどして、当該縮小部３ａを撓ませ（平板部４０１も撓んでもよい）、包囲部２の包囲面積を縮小させることができる。
図１４（ｂ）における乾麺用計量器１ａは、上記平板部４０１の代わりに、線状体を波形状に形成してなる波形部４０３が採用されている。この波形部４０３の「波」（山及び谷部）の個数はいくつでもよい。波形部４０３は、山及び谷部が１組となって構成された略Ｓ字状に形成されてなるものであってもよい。いずれにしても、支持部４ａは、容易に把持でき、且つより小さな押圧力で縮小部３ａを撓ませて包囲面積の縮小が行えるように、平面状の部分を備えることが好ましい。この場合、乾麺用計量器１ａが、（１本の）線状体を用いて一体的に形成されてもよい。図１４（ｃ）における乾麺用計量器１ａに示すように、平板部４０１が無く、直線的に構成された一対の線状部４０４を備えた支持部４ａであってもよい（把持し易いように当該線状部４０４が太径とされていてもよい）。
なお、縮小部３ａは、上記Ｕ字状のような弾性体に限定されず、所謂洗濯バサミのようなもので構成されていてもよい。この場合、洗濯バサミは、洗濯バサミの一対の可動部材が巻きバネ等のバネ体によって、上記符号３０１に示す矢印方向に開こう（移動しよう）とする付勢力が作用するように乾麺用計量器１ａに設けられている。
（Ｂ）縮小部３は、図１５（ａ）に示す縮小部３ｂであってもよい。この縮小部３ｂは、包囲部２の内周縁部（第１部材２１及び第２部材２３、並びに第１部材２２及び第２部材２４）に内側に向けて配設された一対の切片体３０２、３０３（板状体）からなる。ただし、切片体３０３は、第１部材２２と反対側の端部３０４の位置が第２部材２４（例えば基端部材２４２）の形状に合わせて屈曲されている。この切片体３０２、３０３の形状は、図１５（ａ）に示すように、外形視略長方形状でなくともよく、例えば切片体３０２、３０３の端辺部３０２１、３０３１が（直線状でなく）例えばＶ字状、円弧状、波型、鋸歯型等、所定形状の切り込み部が形成されてなるような任意な形状が採用される。このような縮小部３ｂを備えた乾麺用計量器１ｂは、図１５（ｂ）に示すように、所定角度の回転に応じて、切片体３０２、３０３が上面視、符号３０５で示す矢印方向に向けて突出されてきて、この突出された分だけ包囲部２による包囲面積（包囲面積Ｔ）が縮小される（狭められる）。これにより、切片体３０２、３０３の端辺部３０２１、３０３１と、包囲された所定分量の乾麺Ｍとが当接（接触）し、結果、乾麺Ｍが包囲部２（切片体３０２、３０３によって）挟持されることになる。ただし、切片体３０２、３０３のサイズは、所定角度（例えば４５度）の回転によって乾麺Ｍに対して左右方向から（乾麺Ｍの側面部に）確実に当接される（押圧が加えられる；締め付けられる）程度に大きなサイズとなっている。このような縮小部３ｂを備えることにより、より簡易な構成で、当該所定角度回転させる動作と、包囲面積Ｔを縮小させて乾麺Ｍを挟持する動作とが同時に行える乾麺用計量器１ｂを得ることができる。なお、符号４０５に示す部位（直線状の連結部位）は、支持部４に含むものとする。また、縮小部３ｂは、一方の切片体（例えば切片体３０２）のみで構成されていてもよい。また、縮小部３ｂは、切片体でなく、例えば上記端辺部３０２１（及び／又は３０３１）の位置となるように配設された線状体（棒状体）からなるものであってもよい。
（Ｃ）乾麺用計量器１は、例えば図１６に示す乾麺用計量器１ｃのように、包囲部２によって包囲される包囲面積Ｔを区分する区分用部材５を備えていてもよい。この区分用部材５は、当該包囲面積Ｔを区分する、すなわち分量面積Ｓ（図２参照）を区分することによって、計量される乾麺の分量を調節するものである。区分用部材５は、第２部材２３、２４間に架設され、中間部（例えば中央部）で屈曲可能に構成された棒状体（腕状体）からなる。ここでは、区分用部材５は、回動支点５１において互いに回動自在に連結された２つの連結部材５２、５３から構成されている。ここで、図１７（ａ）は、図１６に示す乾麺用計量器１ｃを回転中心軸Ｂ周りに矢印Ｃ方向に所定角度（例えば約４５度）回転させた状態のものを上方から見た場合の上面概略図である。図１７（ａ）に示すように、区分用部材５は、包囲面積Ｔ（図４参照）を、乾麺が挿し込まれる側の挿込面積５０１（挿込領域）と、乾麺が挿し込まれない側の非挿込面積５０２（非挿込領域）とに区分する。区分用部材５は、第２部材２３、２４に沿って（図１６における符号５０３に示す矢印方向に）スライド移動可能であり、且つ当該スライド移動後の位置での位置固定（移動規制）が可能な構成となっている。具体的には、区分用部材５の両端には、孔部が形成され（環状に形成され）、第２部材２３、２４に係合する係合部５０４が設けられているとともに、この係合部５０４の内周部に例えばゴム材といった各第２部材に対する摩擦係数が大きな材質からなるリング体５０５（所謂シンブルのようなもの）が設けられており、このリング体５０５に、第２部材２３、２４が挿通された状態で係合されている。リング体５０５の内径は、第２部材２３、２４の径（軸径）よりも小さいことが好ましい。これにより、リング体５０５と第２部材２３、２４との間の摩擦力が増し（グリップ力が向上し）、第２部材２３、２４に対する区分用部材５の位置固定がより確実に行える。もちろん、この摩擦力を超えてスライド移動させようとする押圧力が加えられることによって、区分用部材５を第２部材２３、２４に摺接させつつ移動させることができる。なお、リング体５０５を設ける代わりに、係合部５０４をゴム材等の被覆材によって（所定の被覆厚で）被覆してもよい。
区分用部材５が第１部材２１、２２側にスライド移動されると、挿込面積５０１が減少して計量される乾麺の分量が減少する。一方、反対方向にスライド移動されると、計量される乾麺の分量が増加する。このように、包囲部２によって包囲される領域（包囲面積Ｔ）が、区分用部材５により、当該区分用部材５の第１部材２１、２２に対する固定位置を移動させることによって区分けが行われ、包囲される乾麺の分量の調節が可能となる。なお、第２部材２３及び／又は第２部材２４には、区分用部材５のスライド移動における固定位置（停止位置）に関する指標、すなわち、計量される乾麺の各分量を定めた目印５０６が設けられて（付記されて）いてもよい。この目印５０６はスケール（目盛り）であってもよい。
乾麺用計量器１ｃにおける包囲面積（挿込面積５０１）が縮小されるとき、図１７（ａ）の状態から、図１７（ｂ）に示すように第２部材２３、２４が符号５０７に示す矢印方向に移動された状態となり、当該第２部材の移動に伴って区分用部材５は回動支点５１を頂点として略「く」の字状に折り曲げられた状態となる。
なお、区分用部材５は、全体が、例えば所定の強度を有した（少なくとも区分用部材５の形状保持が可能な）ゴム材等により形成されていてもよい。この場合、包囲面積Ｔ（挿込面積５０１）が縮小されるときには、区分用部材５全体が撓むようにして曲げられてもよい。また、区分用部材５は、当該曲がる構成でなく、伸縮可能な構成であってもよい。第２部材２３、２４に対する区分用部材５の移動形態は、上記スライド移動に限らず、例えば図１８（ａ）に示すような形態で行ってもよい。すなわち、乾麺用計量器１ｄの第２部材２３、２４に例えば鋸歯状、所謂ジグザク状に折れ曲がった部分を備え、この鋸歯状の部分に架設された区分用部材５を、左右方向（図１８（ａ）では上下方向）に交互に移動させつつ前後方向（符号５０８に示す矢印方向）へ移動させる構成でもよい。
また、計量される乾麺の分量の調節を行う形態として、図１８（ｂ）に示す乾麺用計量器１ｅのように、区分用部材５を備えず、第２部材２３、２４が伸縮可能に構成されており（伸縮手段を有しており）、この第２部材２３、２４の伸縮に応じて包囲面積Ｔ（分量面積Ｓ）を変化（区分）させることにより、当該計量される分量の調節を行うものであってもよい。上記第２部材２３、２４を伸縮させる構成としては、例えば各第２部材２３、２４を２つの部材に分けて、一方の部材（可動部材５０９）が他方の部材（固定部材５１０）に対してスライド移動可能となるような構成であってもよい。ただし、このスライド移動後の可動部材５０９の固定部材５１０に対する位置固定（移動規制）が可能となる構成を備えていることが好ましい。
（Ｄ）区分用部材５は、図１９に示す区分用部材５ａであってもよい。この区分用部材５ａは、包囲部２の内周縁部（第２部材２３、２４）に互いに内側に向けて突設された一対の（例えば板状の）突起部材５４、５５からなる。区分用部材５ａを備えた乾麺用計量器１ｆが乾麺束に挿し込まれ、回転中心軸Ｂ周りに例えば矢印Ｃ方向に所定角度回転すると、図２０に示すように、上面視、突起部材５４、５５の先端５４１、５５１が互いに交差され（重なり）、包囲面積Ｔが、区分面積５１１、５１２に区分される。この場合、例えば当該各区分面積を１人分の分量が計量される面積となるように設定し、合計２人分の分量を同時（一度）に計量する、といったように使用することにより、計量される乾麺の分量の調節を行う構成としてもよい。突起部材５４、５５の形状は、本例のような山形（１つの波形）に特に限定されず、例えば直線状（棒状）や三角形状であってもよい。また、突起部材５４、５５は、板状でなく、上記各形状の外形に合わせて線状体が屈曲されてなる環状体であってもよい。また、当該突起体の個数も一対に限らず、二対以上でもよい。なお、突起部材５４、５５の形状が上記山形（第２部材２３、２４側の基端部、すなわち裾が広がったような形状である場合、図２０に示すように、所定角度回転後、突起部材５４、５５の形状に対応して形成された乾麺束の隙間部に例えば２本の指を挿し込むようにして区分面積５１１（５１２）内の乾麺を掴み取ることが容易に行える。
本変形態様（Ｄ）や上記変形態様（Ｃ）に示すように、区分用部材５（５ａ）、あるいは上記伸縮手段を備えることにより、包囲部２により包囲される面積（領域；範囲）が区分けされるため、包囲する乾麺の分量が調節可能となり、人数に応じた分量の乾麺の計量を容易に行うことができるようになる。
（Ｅ）乾麺用計量器１は、図２１に示す乾麺用計量器１ｇのように、包囲部２（第２部材２３、２４）が可撓性を有する弾性体で構成され、第２部材２３、２４が互いに内側に向けて撓むことにより包囲面積Ｔが縮小される構成でもよい。この場合、第２部材２３、２４が縮小部３を兼ねることになる。この乾麺用計量器１ｇに対して、図１６に示す区分用部材５や、図１４に示す縮小部３ａ等が設けられていてもよい。なお、図１５（ａ）と同様、符号４０６に示す部位は、支持部４に含むものとする。
（Ｆ）乾麺用計量器１は、図２２に示す乾麺用計量器１ｈのように、支持部４に対して直接、包囲部２が接続されたような形状であってもよい。この場合、上記変形態様（Ｅ）の場合と同様に、包囲部２が可撓性を有する弾性体で構成され、包囲面積が縮小可能とされていてもよい。なお、この乾麺用計量器１ｈにおける包囲部２に対する支持部４の向き（配置）は、本例のように第１部材２１、２２と平行な向きに限定されず、水平あるいは斜めの向き（配置）であってもよい。
（Ｇ）乾麺用計量器１の包囲部２の基部２５近傍に、包囲された乾麺Ｍの長手方向に平行な、当該乾麺Ｍに対して当接する当接面を有したフランジ状（板状）のもの（ガイド部；回転方向規制体）を設けてもよい。これにより、乾麺用計量器１を所定角度回転させる際の（回転中心軸Ｂ周りの）回転の軸ブレ（手ブレ）が防止され、第１部材２１、２２が乾麺束の長手方向に平行となるように乾麺束間を安定して回転移動できるようになり、図５に示すように第１部材２１、２２間に乾麺を挟むことなく、容易に且つ確実に所定分量の乾麺を包囲することができる。
（Ｈ）第２部材２３、２４における包囲した乾麺Ｍに当接する部分に、当該乾麺Ｍが滑り難くされて確実に挟持されるように、所定形状の（例えば凹部又は凸部；筋状又は点状の）グリップ部が設けられていてもよい。例えば、第２部材２３、２４に、乾麺に対する摩擦係数がより高くなる材質、例えばゴム（ラバー）材等の被覆がなされていてもよい。
（Ｉ）図１０に示す乾麺用計量器に対し、基端部材２３２１、２４２１に加えてさらに基端部材２３２、２４２を設けてもよい。なお、この基端部材２３２、２４２は例えば内側に「弦」がくるような円弧状に形成されていてもよい。
（Ｊ）突起体２６、２７は、第１部材２１、２２の先端だけでなく、当該先端から基端に亘って形成されてなるものでもよい。
（Ｋ）乾麺用計量器に突起体２６、２７を備えていない構成であってもよい。
（Ｌ）包囲部２に、当該包囲部２の外周縁部に沿って所謂スペーサ（上記切片体３０２と同様のものが包囲部２の外側に配設されてなるもの）を設けてもよい。この場合、包囲部２を乾麺束内で回転させると、スペーサによって乾麺束が左右に押し広げられて包囲部２の外周近傍にスペースが形成される。これにより、例えば乾麺束７１から乾麺Ｍを分離させる（引き出す）際にこのスペースに指等を挿入させるなどすることにより、当該分離を容易に行うことができる。
（Ｍ）乾麺用計量器を、縦向きの（立った）状態の乾麺束に対して挿し込んで計量せずともよく、例えば横向き（水平方向）に寝かせた状態（或る場所に横向きに載置してもよいし、手で持って横向きにさせてもよい）の乾麺束に対して例えば上方から挿し込んで計量してもよい。
【図面の簡単な説明】
【図１】  本発明の実施形態に係る乾麺用計量器の一例を示す斜視図である。
【図２】  図１に示す乾麺用計量器の上面図である。
【図３】  乾麺用計量器を乾麺束に挿し込んだ後、所定角度回転させた状態の乾麺用計量器を前方から見た斜視図である。
【図４】  図３に示す状態の乾麺用計量器の上面図である。
【図５】  第１部材間に乾麺を挟んだときの状態の一例を示す斜視図である。
【図６】  図４に示す状態から第２部材の相互間隔が狭められた状態を示す乾麺用計量器の上面図である。
【図７】  乾麺用計量器により所定分量の乾麺を計量するときの動作の一例を示す斜視図であり、（ａ）は、乾麺用計量器を乾麺束に挿し込むときの様子を示す図であり、（ｂ）は、乾麺用計量器を所定角度回転させて所定分量の乾麺を包囲するときの様子を示す図であり、（ｃ）は、所定分量の乾麺を包囲した状態で乾麺束から引き出すときの様子を示す図である。
【図８】  包囲部による包囲面積を縮小させて所定分量の乾麺を挟持する動作の一例を示す斜視図であり、（ａ）は、包囲部の各第２部材を内側に向けて移動させたときの様子を示す図であり、（ｂ）は、図８（ａ）に示す状態において乾麺用計量器を前方から見た図である。
【図９】  乾麺を包囲した状態で乾麺用計量器を乾麺束から引き出すときの動作の一例を示す上面図である。
【図１０】  乾麺用計量器の変形例を示す図である。
【図１１】  図１に示す乾麺用計量器の向きを上下反転させた状態を示す図である。
【図１２】  突起体の変形例を示す図であり、（ａ）は、各第１部材の先端における前後両側に突設されてなる突起体を示す図であり、（ｂ）は、各第１部材の先端が折り返されてなる突起体を示す図である。
【図１３】  支持部の変形例を示す図である。
【図１４】  乾麺用計量器の変形例を示す図であり、（ａ）は、縮小部及び支持部の変形例を示す図であり、（ｂ）、（ｃ）は、図１４（ａ）に示す支持部の変形例を示す図である。
【図１５】  乾麺用計量器の変形例を示す図であり、（ａ）は、縮小部及び支持部の変形例を示す図であり、（ｂ）は、図１５（ａ）に示す乾麺用計量器を所定角度回転した状態を示す図である。
【図１６】  乾麺用計量器の変形例を示す図であり、区分用部材を備えた乾麺用計量器の一例を示す斜視図である。
【図１７】  図１６に示す乾麺用計量器の概略図であり、（ａ）は、図１６に示す乾麺用計量器を所定角度回転させた状態を示す上面図であり、（ｂ）は、図１７（ａ）に示す乾麺用計量器の包囲面積を縮小させた状態を示す上面図である。
【図１８】  乾麺用計量器の変形例を示す図であり、（ａ）、（ｂ）は、区分手段（区分用部材）の変形例を示す図である。
【図１９】  乾麺用計量器の変形例を示す図であり、区分用部材の変形例を示す図である。
【図２０】  図１９に示す乾麺用計量器を所定角度回転させた状態を示す図である。
【図２１】  乾麺用計量器の変形例を示す図である。
【図２２】  乾麺用計量器の変形例を示す図である。
【符号の説明】
１、１ａ〜１ｈ  乾麺用計量器
２  包囲部（包囲手段）
２０  腕部
２１、２２  第１部材
２３、２４  第２部材
２０１、２０２  幅
２０３  乾麺
２３１、２４１  直線部
２３２、２４２  基端部材
２５  基端
２６、２７  突起体
３、３ａ、３ｂ  縮小部（縮小手段）
３１、３２  可動部材
３０２、３０３  切片体
４、４ａ  支持部（支持手段）
５、５ａ  区分用部材（区分手段）
５１  回動支点
５２、５３  連結部材
５４、５５  突起部材
７１  乾麺束
Ｂ  回転中心軸
Ｓ  分量面積
Ｔ  包囲面積
Ｍ  乾麺
【図１】
2005283555.tif 000003
【図２】
2005283555.tif 000004
【図３】
2005283555.tif 000005
【図４】
2005283555.tif 000006
【図５】
2005283555.tif 000007
【図６】
2005283555.tif 000008
【図７】
2005283555.tif 000009
【図８】
2005283555.tif 000010
【図９】
2005283555.tif 000011
【図１０】
2005283555.tif 000012
【図１１】
2005283555.tif 000013
【図１２】
2005283555.tif 000014
【図１３】
2005283555.tif 000015
【図１４】
2005283555.tif 000016
【図１５】
2005283555.tif 000017
【図１６】
2005283555.tif 000018
【図１７】
2005283555.tif 000019
【図１８】
2005283555.tif 000020
【図１９】
2005283555.tif 000021
【図２０】
2005283555.tif 000022
【図２１】
2005283555.tif 000023
【図２２】
2005283555.tif 000024